(57)【特許請求の範囲】
【請求項１】
移動体の所定情報を表示する表示部が計器ケースに収容された計器装置において、
前記計器ケースの外側面に、当該計器ケースの下端に向かって延びた排水用の溝が設けられており、
前記計器ケースが、
前記表示部の前方に配置されかつ前記表示部を前記移動体の乗員側に露出させる露出窓が設けられた板状の板部と、該板部の前記乗員側の表面から枠状に立設した枠部と、を有する見返しと、
透明な材料で構成され、前記見返しよりも前記乗員側に配置される板状の正面部と、該正面部の外縁から前記乗員側と反対側に枠状に立設し、前記枠部と重ねられる重なり部と、を有する表カバーと、を有し、
前記溝が、前記枠部と前記重なり部との合わせ目の近傍に設けられている
ことを特徴とする計器装置。
【請求項２】
前記枠部と前記重なり部とのうち一方に、他方に設けられた爪部を内側に位置付けて該爪部と係止する筒状の爪受け部が設けられ、そして、前記爪受け部に排水用の穴が設けられている
ことを特徴とする請求項１に記載の計器装置。
【請求項３】
前記板部の下端に、前記爪受け部の内部に連通し、前記計器ケースの下端に開口した排水口が設けられている
ことを特徴とする請求項２に記載の計器装置。
【発明の詳細な説明】
【技術分野】
【０００１】
本発明は、車両、船舶等の移動体に搭載される計器装置に関するものである。
【背景技術】
【０００２】
車両、船舶などの移動体には、各種の計測ユニットが計測した各種情報を移動体の運転者に対し表示する計器装置が取り付けられる。図６は、従来の計器装置を示す断面図である。
【０００３】
図６に示す計器装置２０１は、移動体の速度を表示する文字板２１３及び指針（不図示）、指針を回転させるムーブメント（不図示）、移動体の移動距離を表示するオドトリップ（不図示）、前記移動距離をリセットするリセットノブ２１０、前記ムーブメントやオドトリップを制御するプリント基板２１５、等が計器ケース２０６に収容されて構成されている。
【０００４】
また、計器ケース２０６は、文字板２１３、指針、ムーブメント、オドトリップ、プリント基板２１５、等の各種部品が取り付けられるケース本体２０２と、このケース本体２０２の背面に取り付けられる裏カバー２０３と、ケース本体２０２の前面、即ち移動体の乗員側の面、に取付けられる見返し２０４と、この見返し２０４の前面に取付けられる透明な表カバー２０５と、により構成されている（特許文献１を参照。）。
【先行技術文献】
【特許文献】
【０００５】
【特許文献１】特開２００８−１５７８１１号公報
【発明の概要】
【発明が解決しようとする課題】
【０００６】
しかしながら、上述した計器装置２０１は、以下に示す問題があった。即ち、計器装置２０１は、例えばオープンカーに取り付けられる場合に、計器ケース２０６の外表面に付着した雨水等が計器ケース２０６の内部に侵入して文字板２１３や電子部品にかかるおそれがあるという問題があった。また、計器装置２０１は、オープンカーに取り付けられる場合以外でも、計器ケース２０６の外表面に結露した水滴等が計器ケース２０６の内部に侵入して文字板２１３や電子部品にかかるおそれがあるという問題があった。
【０００７】
また、上記計器装置２０１の計器ケース２０６においては、図６中の符号Ｅ、Ｆに示す、表カバー２０５と見返し２０４との合わせ目の部分、即ち見返し２０４に表カバー２０５が覆い被さる部分、に一定量以上の水が溜まると、この合わせ目の部分から計器ケース２０６の内部に水が浸入しやすくなるという問題があった。
【０００８】
そこで、本発明は、上記のような問題点に着目し、計器ケースの内部に水が浸入することを防止できる計器装置を提供することを目的とする。
【課題を解決するための手段】
【００１０】
請求項１に記載された発明は、移動体の所定情報を表示する表示部が計器ケースに収容された計器装置において、前記計器ケースの外側面に、当該計器ケースの下端に向かって延びた排水用の溝が設けられており、前記計器ケースが、前記表示部の前方に配置されかつ前記表示部を前記移動体の乗員側に露出させる露出窓が設けられた板状の板部と、該板部の前記乗員側の表面から枠状に立設した枠部と、を有する見返しと、透明な材料で構成され、前記見返しよりも前記乗員側に配置される板状の正面部と、該正面部の外縁から前記乗員側と反対側に枠状に立設し、前記枠部と重ねられる重なり部と、を有する表カバーと、を有し、前記溝が、前記枠部と前記重なり部との合わせ目の近傍に設けられていることを特徴とする計器装置である。
【００１１】
請求項２に記載された発明は、請求項１に記載された発明において、前記枠部と前記重なり部とのうち一方に、他方に設けられた爪部を内側に位置付けて該爪部と係止する筒状の爪受け部が設けられ、そして、前記爪受け部に排水用の穴が設けられていることを特徴とするものである。
【００１２】
請求項３に記載された発明は、請求項２に記載された発明において、前記板部の下端に、前記爪受け部の内部に連通し、前記計器ケースの下端に開口した排水口が設けられていることを特徴とするものである。
【発明の効果】
【００１４】
請求項１に記載された発明によれば、前記計器ケースの外側面に、当該計器ケースの下端に向かって延びた排水用の溝が設けられているので、計器ケースの外側面に付着した水が、溝を伝って計器ケースの下端に流れ落ちる。よって、計器ケースの内部に水が浸入することを防止できる計器装置を提供することができる。
また、前記溝が、前記枠部と前記重なり部との合わせ目の近傍に設けられているので、この合わせ目の近傍に水が溜まることを防止でき、この合わせ目から計器ケースの内部に水が浸入することを防止できる。
【００１５】
請求項２に記載された発明によれば、前記爪受け部に排水用の穴が設けられているので、枠部と重なり部との合わせ目の近傍に位置する前記爪受け部に水が溜まることを防止でき、前記合わせ目から計器ケースの内部に水が浸入することを確実に防止できる。
【図面の簡単な説明】
【００１７】
【図１】本発明の一実施の形態に係る計器装置を示す概略図である。
【図２】図１に示された計器装置が移動体に搭載された際の外観を示す平面図である。
【図３】図１に示された計器装置の要部拡大図である。
【図４】図３中のＡ−Ａ線に沿った断面斜視図である。
【図５】図３に示された計器装置において透明カバーを取り外した状態を示す要部拡大図である。
【図６】従来の計器装置を示す断面図である。
【発明を実施するための形態】
【００１８】
本発明の一実施の形態に係る計器装置を、図１ないし図５を参照して説明する。図１及び図２に示す計器装置１は、移動体としての自動車のインストルメントパネルに取り付けられて、この自動車の運転者に対し、自動車の速度と走行距離を表示する装置である。この計器装置１は、自動車の速度を表示する文字板１３及び指針１４、この指針１４を回転させるムーブメント、自動車の走行距離を表示する液晶ディスプレイ１２、この液晶ディスプレイ１２に表示される走行距離をリセットするリセットノブ１０、前記ムーブメントや液晶ディスプレイ１２を制御するプリント基板１５、等が計器ケース６に収容されて構成されている。また、文字板１３、指針１４、液晶ディスプレイ１２は、特許請求の範囲に記載した「表示部」に相当する。
【００１９】
また、図１ないし図５中に示す矢印Ｘは計器ケース６の幅方向を示し、矢印Ｙは計器ケース６の高さ方向を示し、矢印Ｚは計器ケース６の奥行方向を示している。また、矢印Ｘは前記自動車の車幅方向と平行であり、矢印Ｙは鉛直方向と平行であり、矢印Ｚは前記自動車の前後方向と平行である。
【００２０】
上記計器ケース６は、文字板１３、指針１４、液晶ディスプレイ１２、前記ムーブメント、プリント基板１５、等の各種部品が取り付けられるケース本体２と、このケース本体２の背面に取り付けられる裏カバー３と、ケース本体２の前面、即ち自動車の乗員側の面、に取付けられる見返し４と、この見返し４の前面に取付けられる表カバー５と、により構成されている。
【００２１】
上記見返し４は、黒色などの不透明な合成樹脂により構成されている。図１及び図４などに示すように、見返し４は、板状に形成され、文字板１３、指針１４、液晶ディスプレイ１２の前方、即ち乗員側、に配置されてケース本体２との間にこれら文字板１３、指針１４、液晶ディスプレイ１２を位置付ける板部４０と、この板部４０の乗員側の表面から枠状に立設した枠部４６と、を有している。
【００２２】
上記板部４０には、文字板１３、指針１４、液晶ディスプレイ１２を乗員側に露出させる円形の露出窓４０ａが設けられている。また、露出窓４０ａの周縁には、装飾リング１１が取り付けられている。
【００２３】
上記枠部４６は、四角形の枠状に形成されている。この枠部４６のうち、矢印Ｘに沿って互いに相対する一対の面を側面と呼び、符号４２，４４を付す。また、枠部４６のうち、矢印Ｙに沿って互いに相対する一対の面の上側に位置する一方を上面と呼び、符合４１を付す。また、前記一対の面の下側に位置する他方を下面と呼び、符合４３を付す。
【００２４】
上記表カバー５は、透明な合成樹脂で構成され、見返し４よりも乗員側に配置される板状の正面部５０と、この正面部５０の外縁から乗員側と反対側に枠状に立設し、枠部４６と重ねられる重なり部５６と、を有している。
【００２５】
上記正面部５０は、略正方形状に形成されており、板部４０及び文字板１３と矢印Ｚ方向に沿って相対する。また、正面部５０には、リセットノブ１０を乗員側に突出させる開口部が設けられている。また、このリセットノブ１０には防水キャップが取り付けられており、前記開口部から計器ケース６内に水が浸入することが防止されている。
【００２６】
上記重なり部５６は、四角形の枠状に形成されている。この重なり部５６のうち、上述した枠部４６の上面４１と重ねられる面を第２上面と呼び、符号５１を付す。また、重なり部５６のうち、枠部４６の一対の側面４２，４４と重ねられる一対の面を第２側面と呼び、符号５２，５４を付す。また、重なり部５６のうち、枠部４６の下面４３と重ねられる面を第２下面と呼び、符合５３を付す。また、図１中に示す符号５ａは、重なり部５６の縁を示している。
【００２７】
また、上記重なり部５６の第２上面５１と第２下面５３とには、枠部４６の上面４１、下面４３に向かってそれぞれ延びた爪部５５が設けられている。また、枠部４６の上面４１と下面４３とには、爪部５５を内側に位置付けて爪部５５と係止する筒状の爪受け部４５が設けられている。なお、図１においては、第２上面５１に設けられた爪部５５及び上面４１に設けられた爪受け部４５を省略している。
【００２８】
上述した見返し４は、ケース本体２の前面に取り付けられることで、ケース本体２や各種部品の表示不要部位を覆い隠す。また、上述した表カバー５は、見返し４に取り付けられて、ケース本体２及び見返し４との間に文字板１３、指針１４、液晶ディスプレイ１２を密閉する。
【００２９】
上述した構成の計器ケース６において、見返し４の上面４１と表カバー５の第２上面５１とは、計器ケース６の上面を構成している。また、見返し４の一対の側面４２，４４と表カバー５の一対の第２側面５２，５４とは、計器ケース６の一対の側面を構成している。即ち、一対の側面４２，４４の外表面と一対の第２側面５２，５４の外表面とは、「計器ケース６の外側面」に相当する。また、見返し４の下面４３と表カバー５の第２下面５３とは、計器ケース６の下面を構成している。また、下面４３と第２下面５３とは、計器ケース６の下端に位置している。
【００３０】
さらに本発明の計器装置１は、計器ケース６に以下に説明する防水構造及び排水構造が施されている。即ち、計器ケース６の上面と側面の外表面には、図１及び図５に示すように、計器ケース６の下端に向かって延びた排水用の溝７が設けられている。また、枠部４６の下面４３に設けられた爪受け部４５には、図３及び図４に示すように、排水用の穴８が設けられている。さらに、板部４０の下端には、図４に示すように、前記爪受け部４５の内部に連通し、計器ケース６の下端に開口した排水口９が設けられている。
【００３１】
上記排水用の溝７は、さらに詳しく説明すると、枠部４６と重なり部５６との合わせ目の近傍に設けられている。即ち、排水用の溝７は、枠部４６の外表面に重ねられた重なり部５６の縁５ａの近傍に位置する枠部４６の外表面に設けられている。また、排水用の溝７は、枠部４６の外表面から凹に形成され、全体としてコ字状に形成されている。即ち、排水用の溝７は、枠部４６の上面４１において当該上面４１の全域にわたって矢印Ｘに沿って直線状に延び、そして、上面４１の幅方向の両端部において枠部４６の角に沿って略直角に曲がり、続いて枠部４６の一対の側面４２，４４それぞれの上端から下端に向かって略直線状に延び、枠部４６の下面４３に設けられた爪受け部４５の外表面に差し掛かった位置まで延びたコ字状に形成されている。
【００３２】
上述した防水構造及び排水構造が施された本発明の計器装置１においては、計器ケース６の上面及び側面の外表面に付着した雨水や結露による水が、図１中の矢印Ｋに示すように、排水用の溝７を伝って計器ケース６の下端に向かって流れ落ちるので、枠部４６と重なり部５６との合わせ目の近傍に水が溜まることがなく、この合わせ目から計器ケース６の内部に水が浸入することが防止される。また、排水用の溝７の終端部から溢れた水などが枠部４６の下面４３に設けられた爪受け部４５の内部に浸入した場合は、この水が爪受け部４５に設けられた排水用の穴８から爪受け部４５の外部に排出される。これらのことによって、文字板１３等への水分付着による商品品位の悪化や、電子部品への水分付着による機能不具合が防止され、車両としての安全性低下が防止される。
【００３３】
また、上述した実施形態では、排水用の溝７が計器ケース６の上面と側面の外表面に設けられていたが、本発明では、排水用の溝７が少なくとも計器ケース６の側面の外表面、即ち外側面、に設けられていれば良い。
【００３４】
また、上述した実施形態では、排水用の溝７が見返し４の枠部４６に設けられていたが、本発明では、排水用の溝７が表カバー５の重なり部５６に設けられていても良い。
【００３５】
また、上述した実施形態では、爪受け部４５が見返し４の枠部４６に設けられていたが、本発明では、爪受け部４５が表カバー５の重なり部５６に設けられ、爪部５５が見返し４の枠部４６に設けられていても良い。
【００３６】
なお、前述した実施形態は本発明の代表的な形態を示したに過ぎず、本発明は、実施形態に限定されるものではない。本発明の骨子を逸脱しない範囲で種々変形して実施することができる。
【符号の説明】
【００３７】
１  計器装置
２  ケース本体
４  見返し
５  表カバー
６  計器ケース
７  溝
８  穴
９  排水口
１２  液晶ディスプレイ（表示部）
１３  文字板（表示部）
１４  指針（表示部）
４５  爪受け部
５５  爪部
【図１】
0005449946.tif 000002
【図２】
0005449946.tif 000003
【図３】
0005449946.tif 000004
【図４】
0005449946.tif 000005
【図５】
0005449946.tif 000006
【図６】
0005449946.tif 000007